(57)【要約】【課題】駆動周波数を上げることなく立体映像を表示することができる立体表示装置の駆動方法を提供することを目的とする。【解決手段】右眼用の画像と左眼用の画像を順次表示する表示部を有する画像表示手段と、前記右眼用の画像および前記左眼用の画像を順次目視可能とする眼鏡とを用いた立体表示装置の駆動方法であって、前記表示部において、書込期間の前半ではデータのオーバードライブを行うステップと、書込期間の後半ではデータのアンダードライブを行うステップを順次、繰り返して実行する。【選択図】図７
2013195885.tif 000002
【特許請求の範囲】
【請求項１】
右眼用の画像と左眼用の画像を順次表示する表示部を有する画像表示手段と、前記右眼用の画像および前記左眼用の画像を順次目視可能とする眼鏡とを用いた立体表示装置の駆動方法であって、前記表示部において、書込期間の前半ではデータのオーバードライブを行うステップと、書込期間の後半ではデータのアンダードライブを行うステップを順次、繰り返して実行することを特徴とする立体表示装置の駆動方法。
【発明の詳細な説明】
【技術分野】
【０００１】
本発明は、立体映像の表示に適するように構成された立体表示装置の駆動方法に関する。
【背景技術】
【０００２】
従来、立体映像を表示させるために各種の方式が検討されている。その一例として、立体映像を視認するための視差に対応した一方の眼用の映像信号および他方の眼用の映像信号を表示装置に交互に表示し、電子シャッター付のメガネ部のシャッターを切替えることにより立体映像を生成する方式がある。
【０００３】
この方式では、立体映像の一画面の映像信号は、一方の眼用（右眼用）の画像データが設定された第１フレームの映像信号と他方の眼用（左眼用）の画像データが設定された第２フレームの映像信号とに分離される。そして、画素部に次の書き換え信号が入力されるまで前の画像の輝度が保持されるホールド型の表示方法により、第１フレームの映像信号と第２フレームの映像信号が交互に表示部に表示される。視聴者は、第１フレームおよび第２フレームに同期して左右のシャッターの開閉を行うメガネ部を介して一画面分の立体映像を認識できる。
【０００４】
具体的には、右眼用の画像データが設定された第１フレームの映像信号が表示されるときには、メガネ部の左眼シャッターが閉じて、視聴者は右眼用の映像信号を認識し、左眼用の画像データが設定された第２フレームの映像信号が表示されるときには、メガネ部の右眼シャッターが閉じて、視聴者は左眼用の映像信号を認識する。これによって、視聴者は立体映像を認識することができる。
【先行技術文献】
【特許文献】
【０００５】
【特許文献１】特開２０１０−２１０７１２号公報
【発明の概要】
【発明が解決しようとする課題】
【０００６】
上記立体表示装置では、メガネ部シャッターのタイミングによっては、左右眼用の映像信号が視聴者に混合して認識され、立体表示品位の低下が起こったり、映像信号の混合がないように映像表示と黒表示を切り替えて立体表示を行う場合には、駆動周波数を高くしたり、表示されている画像を一括して消去等する必要があり、輝度が低下したり、駆動に必要な回路規模が大きくなるなどしていた。
【０００７】
本発明は、上記問題点に鑑み、駆動周波数を上げることなく立体映像を表示することができる立体表示装置の駆動方法を提供することを目的とする。
【課題を解決するための手段】
【０００８】
上記課題を解決するために本発明の立体表示装置の駆動方法は、右眼用の画像と左眼用の画像を順次表示する表示部を有する画像表示手段と、前記右眼用の画像および前記左眼用の画像を順次目視可能とする眼鏡とを用いた立体表示装置の駆動方法であって、前記表示部において、書込期間の前半ではデータのオーバードライブを行うステップと、書込期間の後半ではデータのアンダードライブを行うステップを順次、繰り返して実行することを特徴とする。
【発明の効果】
【０００９】
本発明に係る立体表示装置の駆動方法によれば、駆動周波数を上げることなく、クロストークが少なく輝度の高い立体映像を表示することができる。
【図面の簡単な説明】
【００１０】
【図１】本発明の実施の形態１に係る立体表示装置の構成を示すブロック図
【図２】図１における立体表示装置の構成を示すブロック図
【図３】図１におけるメガネ部の構成を示すブロック図
【図４】図１に示す立体表示装置の通常時（平面表示）の駆動タイミングを示すタイミングチャート
【図５】表示映像の一例を示す図
【図６】図１に示す立体表示装置の立体表示時の駆動タイミングを示すタイミングチャート
【図７】表示映像の一例を示す図
【発明を実施するための形態】
【００１１】
以下、本発明の一実施の形態に係る立体表示装置を備えた映像表示システムについて、液晶表示装置を例にとって、図面に基づき説明する。なお、以下では、全ての図を通じて同一または相当する要素には同じ符号を付して、その重複する説明を省略する。
【００１２】
図１は、本発明に係る映像表示システムの構成を示すブロック図である。図１に示すように、映像表示システム１は、表示装置１１と、映像信号出力部１２と、メガネ部１３とを備えている。なお、映像表示システム１が本発明における立体表示装置、表示装置１１が本発明における画像表示手段に相当する。
【００１３】
映像信号出力部１２は、映像信号を表示装置１１に出力すると共に、同期信号をメガネ部１３に出力する。ここで、映像信号は、立体映像または平面映像のいずれであってもよい。また、同期信号は、表示装置１１に出力される映像信号が右眼用の画像データであるか左眼用の画像データであるかをメガネ部１３に伝達するための信号である。
【００１４】
図２は、図１における表示装置１１の構成を示すブロック図である。図２に示すように、表示装置１１は、映像表示部２０と、信号入力部２１と、信号処理部２２と、制御回路２３と、信号送信部２４と、スキャン信号転送部２５と、信号線駆動回路２６とを備えている。なお、映像表示部２０、スキャン信号転送部２５、信号線駆動回路２６が、それぞれ本発明における表示部、走査線駆動部、データ線駆動部に相当する。また、制御回路２３、スキャン信号転送部２５、信号線駆動回路２６が、本発明における表示制御部に相当する。
【００１５】
映像表示部２０は、画素部１７を複数備えた複数行のラインを備え、映像信号出力部１２から表示装置１１に入力された画像データに基づいて映像信号を表示する。各画素部１７には、駆動素子１７ｂを駆動させる走査信号を供給するゲート線Ｈｙ（ｙ＝１，２，…，ｙ−１，ｙ）と、画像データを各画素部１７に供給するデータ線Ｖｘ（ｘ＝１，２，…，ｘ−１，ｘ）とが接続されている。
【００１６】
次に、メガネ部１３について説明する。
【００１７】
メガネ部１３は、図１に示すように、右眼シャッター１３ａと左眼シャッター１３ｂとを有している。
【００１８】
図３は、メガネ部１３の構成を示すブロック図である。図３に示すように、メガネ部１３は、エミッタ３０と、信号受信部３５と、シャッター切替部３６とを備えている。また、エミッタ３０は、メガネ同期制御部３１と、信号送信部３２とを備えている。ここで、エミッタ３０は、メガネ部１３に設けられなくても、外付けとする構成であってもよく、表示装置１１に内蔵されていてもよい。また、有線接続されなくても、例えば赤外線などによって、信号の送受信が行われる構成であってもよい。
【００１９】
メガネ同期制御部３１は、表示装置１１から出力された映像同期信号と、映像信号出力部１２から出力された同期信号を受信し、メガネ制御信号を生成する。メガネ制御信号は、各フレームの映像同期信号が開始されてから所定の期間は、右眼シャッター１３ａまたは左眼シャッター１３ｂのいずれかを開口し、所定期間経過後は開口していた右眼シャッター１３ａまたは左眼シャッター１３ｂを閉口する制御信号である。これにより、右眼シャッター１３ａおよび左眼シャッター１３ｂの開閉を切替えるときに、シャッターの双方を閉状態とする制御が行われる。
【００２０】
その後、メガネ同期制御部３１は、映像同期信号とメガネ制御信号を信号送信部３２に出力する。
【００２１】
信号送信部３２は、受信した映像同期信号とメガネ制御信号をさらに信号受信部３５に供給する。このとき、例えば、エミッタ３０がメガネ部１３に外付けされる構成であれば、赤外線通信方式により、信号送信部３２からメガネ部１３の信号受信部３５にこれらの信号が送信される。
【００２２】
信号受信部３５は、映像同期信号とメガネ制御信号を受信すると、シャッター切替部３６にこれらの信号を供給する。そして、シャッター切替部３６は、映像同期信号に同期して、メガネ制御信号によりメガネ部１３の右眼シャッター１３ａおよび左眼シャッター１３ｂの開閉を制御する。メガネ部１３のシャッターの開閉は、例えば液晶駆動方式であり、この場合、印加電圧を制御することによりシャッターの開閉が行われる。これにより、視聴者は、右眼用の映像信号を右眼で、左眼用の映像信号を左眼で認識することが可能となる。なお、シャッターは液晶駆動方式に限らず、その他の駆動方式のシャッターであってもよい。
【００２３】
次に、表示装置１１の駆動動作をタイミングチャートを用いて説明する。
【００２４】
図４は、通常時（平面表示）における表示装置１１の１フレームの駆動タイミングを示すタイミングチャート、図５は、通常時（平面表示）の表示映像の一例を示す図である。また、図６は、立体表示時における表示装置１１の１フレームの駆動タイミングを示すタイミングチャート、図７は、立体表示時の表示映像の一例を示す図である。なお、これらの図では、一例として映像表示部２０の走査線が７６８ラインの場合を示している。また、図５および図７では、ハッチングで示した部分が、視聴者が見ることができる映像信号である。
【００２５】
図４、図５に示すように、平面表示においては、走査線駆動回路２５から、画素部１７の選択素子に対して常にＨレベルの駆動信号（パルス信号）が供給される。これにより、表示装置１１は、画像表示状態になる。なお、選択素子１７に供給される駆動信号は、Ｌレベルのときに画像表示状態となるようにしてもよい。
【００２６】
そして、第一走査線駆動回路２５により、各ラインに順にＨレベルのパルス信号が供給され、同時に信号線駆動回路２６から各画素部１７に対応する画像データが供給される。このようにして、映像表示部２０に１フレーム分の２Ｄ画像が表示される。
【００２７】
また、図６、図７に示すように、立体表示においては、１フレームの左眼に対応する映像信号が表示され、右眼に対応する画像データの書き込みが行われる期間には、走査線駆動回路２５から、画素部１７の選択素子に対してそれぞれＬレベルおよびＨレベルの駆動信号（パルス信号）が供給される。これにより、表示装置１１は、画像非表示状態になる。そして、同期間に、走査線駆動回路２５により、各ラインに順にＨレベルのパルス信号が供給される。
【００２８】
続けて、画像データの書き込みが行われる前半期間には、走査線駆動回路２５から、画素部１７の選択素子に対してＨレベルの駆動信号（パルス信号）が供給されると同時に、信号線駆動回路２６から各画素部１７に対応する画像データをアンダードライブして供給する。また、画像データの書き込みが行われる後半期間には、走査線駆動回路２５から、画素部１７の選択素子に対してＨレベルの駆動信号（パルス信号）が供給されると同時に、信号線駆動回路２６から各画素部１７に対応する画像データをオーバードライブして供給する。これにより、表示装置１１は、走査線駆動回路２５により、擬似的に走査時間が短縮されたＨレベルのパルス信号が供給される。
【００２９】
つまり、制御回路２３による制御により、走査前半ではアンダードライブにより映像の切り替わりを意図的に遅延させ、走査後半ではオーバードライブにより映像の切り替わりを高速化させることによって、全ラインの画素部１７への画像データ書き込み時間を擬似的に短縮することにより、映像表示部２０に３Ｄ画像が表示される。
【００３０】
図７は、上記した走査により表示される表示映像の一例を示す図である。
【００３１】
このような駆動方法により、立体表示の場合であっても映像信号の駆動周波数を上げることなく、メガネの開口時間を増加させることによって、輝度の高い立体映像を得ることができる。
【００３２】
以上のように本発明の立体表示装置の駆動方法は、右眼用の画像と左眼用の画像を順次表示する表示部を有する画像表示手段と、前記右眼用の画像および前記左眼用の画像を順次目視可能とする眼鏡とを用いた立体表示装置の駆動方法であって、前記表示部において、画面を走査する先頭行から中盤にかけての行ではデータのドライブ能力を低下させアンダードライブし、走査の中盤から最終行にかけてデータのドライブ能力を向上させオーバードライブすることによって、擬似的に全ラインの走査時間を短くするものである。これにより、表示部上からスキャンしている場合、表示部の上部では映像変化を遅らせることができ、表示部の下部では映像変化を早くすることで、シャッターメガネのタイミングを映像が混合しにくいタイミングで行うことができ、クロストークを低減することができる。また、擬似的に操作時間を短くできるため、メガネの開口時間を長くすることができ、立体映像の輝度を向上できる。
【産業上の利用可能性】
【００３３】
本発明に係る立体表示装置の駆動方法は、立体映像の高画質化を図る上で有用な発明である。
【符号の説明】
【００３４】
１  映像表示システム
１１  表示装置
１３  メガネ部
２０  映像表示部
２３  制御回路
２５  スキャン信号転送部
２６  信号線駆動回路
【図１】
2013195885.tif 000003
【図２】
2013195885.tif 000004
【図３】
2013195885.tif 000005
【図４】
2013195885.tif 000006
【図５】
2013195885.tif 000007
【図６】
2013195885.tif 000008
【図７】
2013195885.tif 000009